(57)【特許請求の範囲】
【請求項１】
圧縮機（２１）と、冷媒の蒸発器又は放熱器として機能させることが可能な熱源側熱交換器（２４、２５）と、冷媒の蒸発器又は放熱器として機能させることが可能な利用側熱交換器（５２ａ、５２ｂ、５２ｃ、５２ｄ）とを備えた冷凍装置において、
前記熱源側熱交換器を、上部に排出口（２ｂ）及び室外ファン（３４）を有し、かつ、側部に吸入口（２ａ）を有しており前記吸入口から内部に空気を吸入して前記排出口から外部に空気を排出するように構成された熱源ユニット（２）内において前記吸入口に面するように配置するとともに、第１熱源側熱交換器（２４）と前記第１熱源側熱交換器の下側の第２熱源側熱交換器（２５）とを含むように分割し、
前記第１熱源側熱交換器の液側に、開度調節が可能な第１熱源側流量調節弁（２６）を接続し、
前記第２熱源側熱交換器の液側に、開度調節が可能な第２熱源側流量調節弁（２７）を接続し、
前記第１熱源側熱交換器と前記第２熱源側熱交換器との伝熱面積の比率に比べて、前記第１熱源側熱交換器のほうに冷媒が流れやすく、前記第２熱源側熱交換器に冷媒が流れにくくなるように構成し、
冷媒の蒸発器として機能する前記第１及び第２熱源側熱交換器が着霜した場合には、前記室外ファンを停止させ、かつ、前記第１及び第２熱源側熱交換器を冷媒の放熱器として機能させ、かつ、前記利用側熱交換器を冷媒の蒸発器として機能させることによって、前記第１及び第２熱源側熱交換器を除霜するデフロスト運転を行い、
前記デフロスト運転において、前記第１及び第２熱源側熱交換器を冷媒の放熱器として機能させ、かつ、前記利用側熱交換器を冷媒の蒸発器として機能させる冷房運転時に比べて前記第２熱源側熱交換器に冷媒が多く流れる流量比であるデフロスト流量比になるように、前記第１及び第２熱源側流量調節弁の開度を制御する、
冷凍装置（１）。
【請求項２】
前記デフロスト流量比は、前記第２熱源側流量調節弁（２７）を全開に設定し、かつ、前記第１熱源側流量調節弁（２６）を前記冷房運転時の開度よりも小さい開度に設定することによって得る、
請求項１に記載の冷凍装置（１）。
【請求項３】
前記デフロスト運転において、前記第１及び第２熱源側流量調節弁（２６、２７）の開度を、前記デフロスト運転を開始する際に前記デフロスト流量比が得られる開度に設定し、前記デフロスト運転が終了するまで、前記デフロスト運転を開始する際に設定した前記開度で維持する、
請求項１又は２に記載の冷凍装置（１）。
【発明の詳細な説明】
【技術分野】
【０００１】
本発明は、冷凍装置、特に、上吹き型の熱源ユニット内に上下に分割された熱源側熱交換器を配置した冷凍装置に関する。
【背景技術】
【０００２】
従来より、特許文献１、２（特開平５−３３２６３７号公報、特開２００２−８９９８０号公報）に示すように、圧縮機と、室外熱交換器（熱源側熱交換器）と、室内熱交換器（利用側熱交換器）とを含んだ構成の冷凍装置の一種である空気調和装置がある。これらの冷凍装置では、熱源側熱交換器が上下に分割されており、各熱源側熱交換器の液側に開度調節が可能な膨張弁（熱源側流量調節弁）が接続されている。
【発明の概要】
【発明が解決しようとする課題】
【０００３】
上記従来の冷凍装置において、特許文献１のように、上下に分割された熱源側熱交換器を、上部に排出口及び室外ファンを有し、かつ、側部に吸入口を有しており吸入口から内部に空気を吸入して排出口から外部に空気を排出するように構成された熱源ユニット（いわゆる上吹き型の熱源ユニット）内において吸入口に面するように配置する場合がある。この場合、上側の熱源側熱交換器（第１熱源側熱交換器）に空気が流れやすい風量分布が得られる。このため、第１熱源側熱交換器のほうに冷媒が流れやすく、下側の熱源側熱交換器（第２熱源側熱交換器）のほうに冷媒が流れにくくなるように、熱源側熱交換器の分流器のサイズや熱源側流量調節弁の口径などが設計される。すなわち、第１熱源側熱交換器と第２熱源側熱交換器との伝熱面積の比率に比べて、第１熱源側熱交換器のほうに冷媒が流れやすく、第２熱源側熱交換器に冷媒が流れにくくなるようにしている。
【０００４】
このような設計によれば、冷房運転や暖房運転において、上吹き型の熱源ユニットを採用することで得られる風量分布（上側の第１熱源側熱交換器に空気が流れやすい風量分布）が考慮されて、所望の性能が得られやすくなる。しかし、暖房運転によって第１及び第２熱源側熱交換器が着霜した場合に行われるデフロスト運転においては、第２熱源側熱交換器のほうに冷媒が流れにくくなるように設計されていることに起因して、第２熱源側熱交換器内に液冷媒が溜まりやすくなり、第２熱源側熱交換器において霜を融かす速度が低下してしまうため、デフロスト時間が長くなる傾向にある。尚、特許文献２には、上下に分割された熱源側熱交換器のデフロスト運転の際に、第１及び第２熱源側熱交換器のうち冷媒温度が高いほうの熱源側流量調節弁の開度を小さくし、冷媒温度が低いほうの熱源側流量調節弁の開度を大きくする制御が採用されている。しかし、この制御では、熱源側流量調節弁の開度を小さくしたほうの熱源側熱交換器内に液冷媒が溜まりやすくなってしまい、デフロスト運転から暖房運転に復帰した際に、第２熱源側熱交換器から圧縮機に冷媒が液バックしやすくなるおそれがある。
【０００５】
本発明の課題は、上吹き型の熱源ユニット内に上下に分割された熱源側熱交換器を配置した冷凍装置において、デフロスト運転時に、同時に上下の熱源側熱交換器の霜を融かすようにしてデフロスト時間を短縮できるようにすることにある。
【課題を解決するための手段】
【０００６】
第１の観点にかかる冷凍装置は、圧縮機と、冷媒の蒸発器又は放熱器として機能させることが可能な熱源側熱交換器と、冷媒の蒸発器又は放熱器として機能させることが可能な利用側熱交換器とを含んでいる。ここでは、熱源側熱交換器を、上部に排出口及び室外ファンを有し、かつ、側部に吸入口を有しており吸入口から内部に空気を吸入して排出口から外部に空気を排出するように構成された熱源ユニット内において吸入口に面するように配置するとともに、第１熱源側熱交換器と第１熱源側熱交換器の下側の第２熱源側熱交換器とを含むように分割している。第１熱源側熱交換器の液側には、開度調節が可能な第１熱源側流量調節弁を接続し、第２熱源側熱交換器の液側には、開度調節が可能な第２熱源側流量調節弁を接続している。ここで、第１熱源側熱交換器と第２熱源側熱交換器との伝熱面積の比率に比べて、第１熱源側熱交換器のほうに冷媒が流れやすく、第２熱源側熱交換器に冷媒が流れにくくなるように構成している。また、ここでは、冷媒の蒸発器として機能する第１及び第２熱源側熱交換器が着霜した場合には、室外ファンを停止させ、かつ、第１及び第２熱源側熱交換器を冷媒の放熱器として機能させ、かつ、利用側熱交換器を冷媒の蒸発器として機能させることによって、第１及び第２熱源側熱交換器を除霜するデフロスト運転を行う。そして、このデフロスト運転において、第１及び第２熱源側熱交換器を冷媒の放熱器として機能させ、かつ、利用側熱交換器を冷媒の蒸発器として機能させる冷房運転時に比べて第２熱源側熱交換器に冷媒が多く流れる流量比であるデフロスト流量比になるように、第１及び第２熱源側流量調節弁の開度を制御するようにしている。
【０００７】
ここでは、デフロスト運転において、第２熱源側熱交換器を通過する冷媒の流量を冷房運転時よりも多くすることができる。このため、ここでは、第２熱源側熱交換器内に液冷媒が溜まりにくくなり、第２熱源側熱交換器において、霜を融かす速度を増加させることができる。
【０００８】
これにより、ここでは、デフロスト運転時に、同時に上下の熱源側熱交換器の霜を融かすようにして、デフロスト時間を短縮することができる。
【０００９】
第２の観点にかかる冷凍装置は、第１の観点にかかる冷凍装置において、デフロスト流量比を、第２熱源側流量調節弁を全開に設定し、かつ、第１熱源側流量調節弁を冷房運転時の開度よりも小さい開度に設定することによって得るようにしている。
【００１０】
ここでは、デフロスト運転において、第２熱源側流量調節弁を全開に設定することによって、第２熱源側熱交換器に冷媒ができるだけ流れやすい状態を作り出すとともに、第１熱源側流量調節弁を冷房運転時の開度よりも小さい開度に設定することによって、第２熱源側熱交換器を流れる冷媒の流量を確実に増加させることができる。
【００１１】
これにより、ここでは、デフロスト運転において、デフロスト流量比を確実に得ることができる。
【００１２】
第３の観点にかかる冷凍装置は、第１又は第２の観点にかかる冷凍装置において、デフロスト運転において、第１及び第２熱源側流量調節弁の開度を、デフロスト運転を開始する際にデフロスト流量比が得られる開度に設定し、デフロスト運転が終了するまで、デフロスト運転を開始する際に設定した開度で維持する。
【００１３】
デフロスト運転の途中で、第１及び第２熱源側流量調節弁の開度を変更すると、開度が相対的に小さくなった熱源側流量調節弁に対応する熱源側熱交換器に冷媒が溜まりやすくなることがあり、このような冷媒の溜まり込みが発生すると、デフロスト運転を終了して暖房運転等の熱源側熱交換器を冷媒の蒸発器として機能させる運転に復帰した際に、冷媒が溜まり込んだ熱源側熱交換器から圧縮機に冷媒が液バックしやすくなるおそれがある。
【００１４】
そこで、ここでは、デフロスト運転の開始から終了まで、第１及び第２熱源側流量調節弁の開度を変更することなく、デフロスト運転を行うようにしている。
【００１５】
これにより、ここでは、デフロスト運転時の制御を簡単化するとともに、デフロスト運転が終了した後の液バックも抑制することができる。
【発明の効果】
【００１６】
以上の説明に述べたように、本発明によれば、以下の効果が得られる。
【００１７】
第１の観点にかかる冷凍装置では、デフロスト運転時に、同時に上下の熱源側熱交換器の霜を融かすようにして、デフロスト時間を短縮することができる。
【００１８】
第２の観点にかかる冷凍装置では、デフロスト運転において、デフロスト流量比を確実に得ることができる。
【００１９】
第３の観点にかかる冷凍装置では、デフロスト運転時の制御を簡単化することができる。
【図面の簡単な説明】
【００２０】
【図１】本発明にかかる冷凍装置の一実施形態としての冷暖同時運転型空気調和装置の概略構成図である。
【図２】冷暖同時運転型空気調和装置を構成する熱源ユニットの概略の内部構造を示す図である。
【図３】熱源側熱交換器の構造を模式的に示す図である。
【図４】冷暖同時運転型空気調和装置の冷房運転モード及びデフロスト運転モードにおける動作（冷媒の流れ）を示す図である。
【図５】冷暖同時運転型空気調和装置の暖房運転モードにおける動作（冷媒の流れ）を示す図である。
【図６】冷暖同時運転型空気調和装置の冷暖同時運転モード（蒸発負荷主体）における動作（冷媒の流れ）を示す図である。
【図７】冷暖同時運転型空気調和装置の冷暖同時運転モード（放熱負荷主体）における動作（冷媒の流れ）を示す図である。
【図８】冷暖同時運転型空気調和装置の冷暖同時運転モード（蒸発・放熱負荷均衡）における動作（冷媒の流れ）を示す図である。
【図９】デフロスト運転モードのフローチャートである。
【発明を実施するための形態】
【００２１】
以下、本発明にかかる冷凍装置の実施形態について、図面に基づいて説明する。尚、本発明にかかる冷凍装置の具体的な構成は、下記の実施形態及びその変形例に限られるものではなく、発明の要旨を逸脱しない範囲で変更可能である。
【００２２】
（１）冷凍装置（冷暖同時運転型空気調和装置）の構成
図１は、本発明にかかる冷凍装置の一実施形態としての冷暖同時運転型空気調和装置１の概略構成図である。図２は、冷暖同時運転型空気調和装置１を構成する熱源ユニット２の概略の内部構造を示す図である。図３は、熱源側熱交換器２４、２５の構造を模式的に示す図である。冷暖同時運転型空気調和装置１は、蒸気圧縮式の冷凍サイクル運転を行うことによって、ビル等の室内の冷暖房に使用される装置である。
【００２３】
冷暖同時運転型空気調和装置１は、主として、１台の熱源ユニット２と、複数（ここでは、４台）の利用ユニット３ａ、３ｂ、３ｃ、３ｄと、各利用ユニット３ａ、３ｂ、３ｃ、３ｄに接続される接続ユニット４ａ、４ｂ、４ｃ、４ｄと、接続ユニット４ａ、４ｂ、４ｃ、４ｄを介して熱源ユニット２と利用ユニット３ａ、３ｂ、３ｃ、３ｄとを接続する冷媒連絡管７、８、９とを有している。すなわち、冷暖同時運転型空気調和装置１の蒸気圧縮式の冷媒回路１０は、熱源ユニット２と、利用ユニット３ａ、３ｂ、３ｃ、３ｄと、接続ユニット４ａ、４ｂ、４ｃ、４ｄと、冷媒連絡管７、８、９とが接続されることによって構成されている。そして、冷暖同時運転型空気調和装置１は、各利用ユニット３ａ、３ｂ、３ｃ、３ｄが個別に冷房運転又は暖房運転を行うことが可能になっており、暖房運転を行う利用ユニットから冷房運転を行う利用ユニットに冷媒を送ることで利用ユニット間において熱回収を行うこと（ここでは、冷房運転と暖房運転とを同時に行う冷暖同時運転を行うこと）が可能になるように構成されている。しかも、冷暖同時運転型空気調和装置１では、上記の熱回収（冷暖同時運転）も考慮した複数の利用ユニット３ａ、３ｂ、３ｃ、３ｄ全体の熱負荷に応じて、熱源ユニット２の熱負荷をバランスさせるように構成されている。
【００２４】
＜利用ユニット＞
利用ユニット３ａ、３ｂ、３ｃ、３ｄは、ビル等の室内の天井に埋め込みや吊り下げ等、又は、室内の壁面に壁掛け等により設置されている。利用ユニット３ａ、３ｂ、３ｃ、３ｄは、冷媒連絡管７、８、９及び接続ユニット４ａ、４ｂ、４ｃ、４ｄを介して熱源ユニット２に接続されており、冷媒回路１０の一部を構成している。
【００２５】
次に、利用ユニット３ａ、３ｂ、３ｃ、３ｄの構成について説明する。尚、利用ユニット３ａと利用ユニット３ｂ、３ｃ、３ｄとは同様の構成であるため、ここでは、利用ユニット３ａの構成のみ説明し、利用ユニット３ｂ、３ｃ、３ｄの構成については、それぞれ、利用ユニット３ａの各部を示す符号の添字「ａ」の代わりに、「ｂ」、「ｃ」又は「ｄ」の添字を付して、各部の説明を省略する。
【００２６】
利用ユニット３ａは、主として、冷媒回路１０の一部を構成しており、利用側冷媒回路１３ａ（利用ユニット３ｂ、３ｃ、３ｄでは、それぞれ、利用側冷媒回路１３ｂ、１３ｃ、１３ｄ）を有している。利用側冷媒回路１３ａは、主として、利用側流量調節弁５１ａと、利用側熱交換器５２ａとを有している。
【００２７】
利用側流量調節弁５１ａは、利用側熱交換器５２ａを流れる冷媒の流量の調節等を行うために、利用側熱交換器５２ａの液側に接続された開度調節が可能な電動膨張弁である。
【００２８】
利用側熱交換器５２ａは、冷媒と室内空気との熱交換を行うための機器であり、例えば、多数の伝熱管及びフィンによって構成されたフィン・アンド・チューブ型熱交換器からなる。ここで、利用ユニット３ａは、ユニット内に室内空気を吸入して、熱交換した後に、供給空気として屋内に供給するための室内ファン５３ａを有しており、室内空気と利用側熱交換器３２ａを流れる冷媒とを熱交換させることが可能である。室内ファン５３ａは、室内ファンモータ５４ａによって駆動される。
【００２９】
また、利用ユニット３ａは、利用ユニット３ａを構成する各部５１ａ、５４ａの動作を制御する利用側制御部５０ａを有している。そして、利用側制御部５０ａは、利用ユニット３ａの制御を行うために設けられたマイクロコンピュータやメモリを有しており、リモコン（図示せず）との間で制御信号等のやりとりを行ったり、熱源ユニット２との間で制御信号等のやりとりを行うことができるようになっている。
【００３０】
＜熱源ユニット＞
熱源ユニット２は、ビル等の屋上等に設置されており、冷媒連絡管７、８、９を介して利用ユニット３ａ、３ｂ、３ｃ、３ｄに接続されており、利用ユニット３ａ、３ｂ、３ｃ、３ｄとの間で冷媒回路１０を構成している。
【００３１】
次に、熱源ユニット２の構成について説明する。熱源ユニット２は、主として、冷媒回路１０の一部を構成しており、熱源側冷媒回路１２を有している。熱源側冷媒回路１２は、主として、圧縮機２１と、複数（ここでは、２つ）の熱交切換機構２２、２３と、複数（ここでは、２つ）の熱源側熱交換器２４、２５と、複数（ここでは、２つ）の熱源側流量調節弁２６、２７と、レシーバ２８と、ブリッジ回路２９と、高低圧切換機構３０と、液側閉鎖弁３１と、高低圧ガス側閉鎖弁３２と、低圧ガス側閉鎖弁３３とを有している。
【００３２】
圧縮機２１は、ここでは、冷媒を圧縮するための機器であり、例えば、圧縮機モータ２１ａをインバータ制御することで運転容量を可変することが可能なスクロール型等の容積式圧縮機からなる。
【００３３】
第１熱交切換機構２２は、第１熱源側熱交換器２４を冷媒の放熱器として機能させる場合（以下、「放熱運転状態」とする）には圧縮機２１の吐出側と第１熱源側熱交換器２４のガス側とを接続し（図１の第１熱交切換機構２２の実線を参照）、第１熱源側熱交換器２４を冷媒の蒸発器として機能させる場合（以下、「蒸発運転状態」とする）には圧縮機２１の吸入側と第１熱源側熱交換器２４のガス側とを接続するように（図１の第１熱交切換機構２２の破線を参照）、熱源側冷媒回路１２内における冷媒の流路を切り換えることが可能な機器であり、例えば、四路切換弁からなる。また、第２熱交切換機構２３は、第２熱源側熱交換器２５を冷媒の放熱器として機能させる場合（以下、「放熱運転状態」とする）には圧縮機２１の吐出側と第２熱源側熱交換器２５のガス側とを接続し（図１の第２熱交切換機構２３の実線を参照）、第２熱源側熱交換器２５を冷媒の蒸発器として機能させる場合（以下、「蒸発運転状態」とする）には圧縮機２１の吸入側と第２熱源側熱交換器２５のガス側とを接続するように（図１の第２熱交切換機構２３の破線を参照）、熱源側冷媒回路１２内における冷媒の流路を切り換えることが可能な機器であり、例えば、四路切換弁からなる。そして、第１熱交切換機構２２及び第２熱交切換機構２３の切り換え状態を変更することによって、第１熱源側熱交換器２４及び第２熱源側熱交換器２５は、個別に冷媒の蒸発器又は放熱器として機能させる切り換えが可能になっている。
【００３４】
第１熱源側熱交換器２４は、冷媒と室外空気との熱交換を行うための機器であり、例えば、多数の伝熱管及びフィンによって構成されたフィン・アンド・チューブ型熱交換器からなる。第１熱源側熱交換器２４は、そのガス側が第１熱交切換機構２２に接続され、その液側が第１熱源側流量調節弁２６に接続されている。具体的には、第１熱源側熱交換器２４のガス側は、第１熱源側熱交換器２４を構成する複数の伝熱管との間で冷媒の合流及び分岐を行うための第１ヘッダ２４ａが設けられており、第１ヘッダ２４ａが第１熱交切換機構２２に接続されている。第１熱源側熱交換器２４の液側は、第１熱源側熱交換器２４を構成する複数の伝熱管との間で冷媒の合流及び分岐を行うための第１分流器２４ｂが設けられており、第１分流器２４ｂが第１熱源側流量調節弁２６に接続されている。また、第２熱源側熱交換器２５は、冷媒と室外空気との熱交換を行うための機器であり、例えば、多数の伝熱管及びフィンによって構成されたフィン・アンド・チューブ型熱交換器からなる。第２熱源側熱交換器２５は、そのガス側が第２熱交切換機構２３に接続され、その液側が第２熱源側流量調節弁２７に接続されている。具体的には、第２熱源側熱交換器２５のガス側は、第２熱源側熱交換器２５を構成する複数の伝熱管との間で冷媒の合流及び分岐を行うための第２ヘッダ２５ａが設けられており、第２ヘッダ２５ａが第２熱交切換機構２３に接続されている。第２熱源側熱交換器２５の液側は、第２熱源側熱交換器２５を構成する複数の伝熱管との間で冷媒の合流及び分岐を行うための第２分流器２５ｂが設けられており、第２分流器２５ｂが第２熱源側流量調節弁２７に接続されている。
【００３５】
ここで、熱源ユニット２は、上部に排出口２ｂ及び室外ファン３４を有し、かつ、側部に吸入口２ａを有しており吸入口２ａから内部に空気を吸入して排出口２ｂから外部に空気を排出するように構成された、いわゆる上吹き型の熱源ユニットである。すなわち、室外ファン３４は、ユニット内に室外空気を吸入して、室外空気と熱源側熱交換器２４、２５を流れる冷媒とを熱交換させた後に、ユニット外に排出するものである。室外ファン３４は、室外ファンモータ３４ａによって駆動されるようになっている。
【００３６】
そして、熱源側熱交換器２４、２５は、このような熱源ユニット２内に、吸入口２ａに面するように配置されている。第１熱源側熱交換器２４と第２熱源側熱交換器２５とは、上下に分割されており、第１熱源側熱交換器２４は、第２熱源側熱交換器２５の上側に配置されている。具体的には、第１熱源側熱交換器２４と第２熱源側熱交換器２５とを一体の熱源側熱交換器として構成し、その上部を構成する伝熱管を第１ヘッダ２４ａ及び第１分流器２４ｂに接続することで第１熱源側熱交換器２４として機能させ、その下部を構成する伝熱管を第２ヘッダ２５ａ及び第２分流器２５ｂに接続することで第２熱源側熱交換器２５として機能させるようにしている。ここでは、上記のように、熱源ユニット２として上吹き型の熱源ユニットが採用されているため、上側の第１熱源側熱交換器２４に空気が流れやすい風量分布が得られる。このため、第１熱源側熱交換器２４のほうに冷媒が流れやすく、下側の第２熱源側熱交換器２５のほうに冷媒が流れにくくなるように、ヘッダ２４ａ、２５ａや分流器２４ｂ、２５ｂのサイズが設計されている。また、ここでは、第１熱源側熱交換器２４の伝熱面積と第２熱源側熱交換器２５と伝熱面積とが異なるものを採用している。具体的には、第１熱源側熱交換器２４よりも第２熱源側熱交換器２５の伝熱面積を大きくし、例えば、第２熱源側熱交換器２５が第１熱源側熱交換器２４の１．５〜５倍程度の伝熱面積を有するものとしている。このため、ここでは、ヘッダ２４ａ、２５ａ及び分流器２４ｂ、２５ｂのサイズについては、第１及び第２熱源側熱交換器２４、２５の伝熱面積の比率、及び、上側の第１熱源側熱交換器２４に空気が流れやすい風量分布の両方を考慮して設計されている。すなわち、第１熱源側熱交換器２４側のヘッダ２４ａや分流器２４ｂのサイズを、伝熱面積の比率に比べて大きめにし、第２熱源側熱交換器２５側のヘッダ２５ａや分流器２５ｂのサイズを、伝熱面積の比率に比べて小さめにするようにして、第１熱源側熱交換器２４と第２熱源側熱交換器２５との伝熱面積の比率に比べて、第１熱源側熱交換器２４のほうに冷媒が流れやすく、第２熱源側熱交換器２５に冷媒が流れにくくなるようにしている。
【００３７】
第１熱源側流量調節弁２６は、第１熱源側熱交換器２４を流れる冷媒の流量の調節等を行うために、第１熱源側熱交換器２４の液側に接続された開度調節が可能な電動膨張弁である。また、第２熱源側流量調節弁２７は、第２熱源側熱交換器２５を流れる冷媒の流量の調節等を行うために、第２熱源側熱交換器２５の液側に接続された開度調節が可能な電動膨張弁である。ここでは、上記のように、熱源ユニット２として上吹き型の熱源ユニットが採用されているため、上側の第１熱源側熱交換器２４に空気が流れやすい風量分布が得られる。このため、第１熱源側熱交換器２４のほうに冷媒が流れやすく、下側の第２熱源側熱交換器２５のほうに冷媒が流れにくくなるように、熱源側流量調節弁２６、２７の口径（あるいは定格Ｃｖ値）が設計されている。また、ここでは、上記のように、第１熱源側熱交換器２４の伝熱面積と第２熱源側熱交換器２５と伝熱面積とが異なるものを採用している。具体的には、第１熱源側熱交換器２４よりも第２熱源側熱交換器２５の伝熱面積を大きくし、例えば、第２熱源側熱交換器２５が第１熱源側熱交換器２４の１．５〜５倍程度の伝熱面積を有するものとしている。このため、ここでは、熱源側流量調節弁２６、２７の口径（あるいは定格Ｃｖ値）については、第１及び第２熱源側熱交換器２４、２５の伝熱面積の比率、及び、上側の第１熱源側熱交換器２４に空気が流れやすい風量分布の両方を考慮して設計されている。すなわち、第１熱源側熱交換器２４側の第１熱源側流量調節弁２６の口径（あるいは定格Ｃｖ値）を、伝熱面積の比率に比べて大きめにし、第２熱源側熱交換器２５側の第２熱源側流量調節弁２７のサイズを、伝熱面積の比率に比べて小さめにするようにして、第１熱源側熱交換器２４と第２熱源側熱交換器２５との伝熱面積の比率に比べて、第１熱源側熱交換器２４のほうに冷媒が流れやすく、第２熱源側熱交換器２５に冷媒が流れにくくなるようにしている。
【００３８】
レシーバ２８は、熱源側熱交換器２４、２５と利用側冷媒回路１３ａ、１３ｂ、１３ｃ、１３ｄとの間を流れる冷媒を一時的に溜めるための容器である。レシーバ２８の上部には、レシーバ入口管２８ａが設けられており、レシーバ２８の下部には、レシーバ出口管２８ｂが設けられている。また、レシーバ入口管２８ａには、開閉制御が可能なレシーバ入口開閉弁２８ｃが設けられている。そして、レシーバ２８の入口管２８ａ及び出口管２８ｂは、ブリッジ回路２９を介して、熱源側熱交換器２４、２５と液側閉鎖弁３１との間に接続されている。
【００３９】
ブリッジ回路２９は、冷媒が熱源側熱交換器２４、２５側から液側閉鎖弁３１側に向かって流れる場合、及び、冷媒が液側閉鎖弁３１側から熱源側熱交換器２４、２５側に向かって流れる場合のいずれにおいても、レシーバ入口管２８ａを通じてレシーバ２８内に冷媒を流入させ、レシーバ出口管２８ｂを通じてレシーバ２８内から冷媒を流出させる機能を有する回路である。ブリッジ回路２９は、４つの逆止弁２９ａ、２９ｂ、２９ｃ、２９ｄを有している。そして、入口逆止弁２９ａは、熱源側熱交換器２４、２５側からレシーバ入口管２８ａへの冷媒の流通のみを許容する逆止弁である。入口逆止弁２９ｂは、液側閉鎖弁３１側からレシーバ入口管２８ａへの冷媒の流通のみを許容する逆止弁である。すなわち、入口逆止弁２９ａ、２９ｂは、熱源側熱交換器２４、２５側又は液側閉鎖弁３１側からレシーバ入口管２８ａに冷媒を流通させる機能を有している。出口逆止弁２９ｃは、レシーバ出口管２８ｂから液側閉鎖弁３１側への冷媒の流通のみを許容する逆止弁である。出口逆止弁２９ｄは、レシーバ出口管２８ｂから熱源側熱交換器２４、２５側への冷媒の流通のみを許容する逆止弁である。すなわち、出口逆止弁２９ｃ、２９ｄは、レシーバ出口管２８ｂから熱源側熱交換器２４、２５側又は液側閉鎖弁３１側に冷媒を流通させる機能を有している。
【００４０】
高低圧切換機構３０は、圧縮機２１から吐出された高圧のガス冷媒を利用側冷媒回路１３ａ、１３ｂ、１３ｃ、１３ｄに送る場合（以下、「放熱負荷運転状態」とする）には、圧縮機２１の吐出側と高低圧ガス側閉鎖弁３２とを接続し（図１の高低圧切換機構３０の破線を参照）、圧縮機２１から吐出された高圧のガス冷媒を利用側冷媒回路１３ａ、１３ｂ、１３ｃ、１３ｄに送らない場合（以下、「蒸発負荷運転状態」とする）には、高低圧ガス側閉鎖弁３２と圧縮機２１の吸入側とを接続するように（図１の高低圧切換機構３０の実線を参照）、熱源側冷媒回路１２内における冷媒の流路を切り換えることが可能な機器であり、例えば、四路切換弁からなる。
【００４１】
液側閉鎖弁３１、高低圧ガス側閉鎖弁３２及び低圧ガス側閉鎖弁３３は、外部の機器・配管（具体的には、冷媒連絡管７、８及び９）との接続口に設けられた弁である。液側閉鎖弁３１は、ブリッジ回路２９を介してレシーバ入口管２８ａ又はレシーバ出口管２８ｂに接続されている。高低圧ガス側閉鎖弁３２は、高低圧切換機構３０に接続されている。低圧ガス側閉鎖弁３３は、圧縮機２１の吸入側に接続されている。
【００４２】
また、熱源ユニット２には、各種のセンサが設けられている。具体的には、第１熱源側熱交換器２４のガス側における冷媒の温度を検出する第１ガス側温度センサ７６と、第２熱源側熱交換器２５のガス側における冷媒の温度を検出する第２ガス側温度センサ７７と、第１熱源側熱交換器２４の液側における冷媒の温度を検出する第１液側温度センサ７８と、第２熱源側熱交換器２５の液側における冷媒の温度を検出する第２液側温度センサ７９とが設けられている。また、熱源ユニット２は、熱源ユニット２を構成する各部２１ａ、２２、２３、２６、２７、２８ｃ、３０、３４ａの動作を制御する熱源側制御部２０を有している。そして、熱源側制御部２０は、熱源ユニット２の制御を行うために設けられたマイクロコンピュータやメモリを有しており、利用ユニット３ａ、３ｂ、３ｃ、３ｄの利用側制御部５０ａ、５０ｂ、５０ｃ、５０ｄとの間で制御信号等のやりとりを行うことができるようになっている。
【００４３】
＜接続ユニット＞
接続ユニット４ａ、４ｂ、４ｃ、４ｄは、ビル等の室内に利用ユニット３ａ、３ｂ、３ｃ、３ｄとともに設置されている。接続ユニット４ａ、４ｂ、４ｃ、４ｄは、冷媒連絡管９、１０、１１とともに、利用ユニット３、４、５と熱源ユニット２との間に介在しており、冷媒回路１０の一部を構成している。
【００４４】
次に、接続ユニット４ａ、４ｂ、４ｃ、４ｄの構成について説明する。尚、接続ユニット４ａと接続ユニット４ｂ、４ｃ、４ｄとは同様の構成であるため、ここでは、接続ユニット４ａの構成のみ説明し、接続ユニット４ｂ、４ｃ、４ｄの構成については、それぞれ、接続ユニット４ａの各部を示す符号の添字「ａ」の代わりに、「ｂ」、「ｃ」又は「ｄ」の添字を付して、各部の説明を省略する。
【００４５】
接続ユニット４ａは、主として、冷媒回路１０の一部を構成しており、接続側冷媒回路１４ａ（接続ユニット４ｂ、４ｃ、４ｄでは、それぞれ、接続側冷媒回路１４ｂ、１４ｃ、１４ｄ）を有している。接続側冷媒回路１４ａは、主として、液接続管６１ａと、ガス接続管６２ａとを有している。
【００４６】
液接続管６１ａは、液冷媒連絡管７と利用側冷媒回路１３ａの利用側流量調節弁５１ａとを接続している。
【００４７】
ガス接続管６２ａは、高低圧ガス冷媒連絡管８に接続された高圧ガス接続管６３ａと、低圧ガス冷媒連絡管９に接続された低圧ガス接続管６４ａと、高圧ガス接続管６３ａと低圧ガス接続管６４ａとを合流させる合流ガス接続管６５ａとを有している。合流ガス接続管６５ａは、利用側冷媒回路１３ａの利用側熱交換器５２ａのガス側に接続されている。高圧ガス接続管６３ａには、開閉制御が可能な高圧ガス開閉弁６６ａが設けられており、低圧ガス接続管６４ａには、開閉制御が可能な低圧ガス開閉弁６７ａが設けられている。
【００４８】
そして、接続ユニット４ａは、利用ユニット３ａが冷房運転を行う際には、低圧ガス開閉弁６７ａを開けた状態にして、液冷媒連絡管７を通じて液接続管６１ａに流入する冷媒を利用側冷媒回路１３ａの利用側流量調節弁５１ａを通じて利用側熱交換器５２ａに送り、利用側熱交換器５２ａにおいて室内空気との熱交換によって蒸発した冷媒を、合流ガス接続管６５ａ及び低圧ガス接続管６４ａを通じて、低圧ガス冷媒連絡管９に戻すように機能することができる。また、接続ユニット４ａは、利用ユニット３ａが暖房運転を行う際には、低圧ガス開閉弁６７ａを閉止し、かつ、高圧ガス開閉弁６６ａを開けた状態にして、高低圧ガス冷媒連絡管８を通じて高圧ガス接続管６３ａ及び合流ガス接続管６５ａに流入する冷媒を利用側冷媒回路１３ａの利用側熱交換器５２ａに送り、利用側熱交換器５２ａにおいて室内空気との熱交換によって放熱した冷媒を、利用側流量調節弁５１ａ及び液接続管６１ａを通じて、液冷媒連絡管７に戻すように機能することができる。この機能は、接続ユニット４ａだけでなく、接続ユニット４ｂ、４ｃ、４ｄも同様に有しているため、接続ユニット４ａ、４ｂ、４ｃ、４ｄによって、利用側熱交換器５２ａ、５２ｂ、５２ｃ、５２ｄは、個別に冷媒の蒸発器又は放熱器として機能させる切り換えが可能になっている。
【００４９】
また、接続ユニット４ａは、接続ユニット４ａを構成する各部６６ａ、６７ａの動作を制御する接続側制御部６０ａを有している。そして、接続側制御部６０ａは、接続ユニット６０ａの制御を行うために設けられたマイクロコンピュータやメモリを有しており、利用ユニット３ａの利用側制御部５０ａとの間で制御信号等のやりとりを行うことができるようになっている。
【００５０】
以上のように、利用側冷媒回路１３ａ、１３ｂ、１３ｃ、１３ｄと、熱源側冷媒回路１２と、冷媒連絡管７、８、９と、接続側冷媒回路１４ａ、１４ｂ、１４ｃ、１４ｄとが接続されて、冷暖同時運転型空気調和装置１の冷媒回路１０が構成されている。この冷媒回路１０は、圧縮機２１と、冷媒の蒸発器又は放熱器として機能させることが可能な熱源側熱交換器２４、２５と、冷媒の蒸発器又は放熱器として機能させることが可能な利用側熱交換器５２ａから５２ｄとを含んでいる。そして、冷暖同時運転型空気調和装置１では、熱源ユニット２として、上部に排出口２ｂ及び室外ファン３４を有し、かつ、側部に吸入口２ａを有しており吸入口２ａから内部に空気を吸入して排出口２ｂから外部に空気を排出するように構成された、いわゆる上吹き型の熱源ユニットを採用している。熱源ユニット２内においては、熱源側熱交換器を吸入口２ａに面するように配置するとともに、熱源側熱交換器を第１熱源側熱交換器２４と第１熱源側熱交換器２４の下側の第２熱源側熱交換器２５とを含むように分割している。第１熱源側熱交換器２４の液側には、開度調節が可能な第１熱源側流量調節弁２６を接続し、第２熱源側熱交換器２５の液側には、開度調節が可能な第２熱源側流量調節弁２７を接続している。
【００５１】
（２）冷凍装置（冷暖同時運転型空気調和装置）の動作
次に、冷暖同時運転型空気調和装置１の動作について説明する。
【００５２】
冷暖同時運転型空気調和装置１の運転モードは、冷房運転モードと、暖房運転モードと、冷暖同時運転モード（蒸発負荷主体）と、冷暖同時運転モード（放熱負荷主体）と、冷暖同時運転モード（蒸発・放熱負荷均衡）と、デフロスト運転モードとに分けることができる。ここで、冷房運転モードは、冷房運転（すなわち、利用側熱交換器が冷媒の蒸発器として機能する運転）を行う利用ユニットだけが存在し、利用ユニット全体の蒸発負荷に対して熱源側熱交換器２４、２５の両方を冷媒の放熱器として機能させる運転モードである。暖房運転モードは、暖房運転（すなわち、利用側熱交換器が冷媒の放熱器として機能する運転）を行う利用ユニットだけが存在し、利用ユニット全体の放熱負荷に対して熱源側熱交換器２４、２５の両方を冷媒の蒸発器として機能させる運転モードである。冷暖同時運転モード（蒸発負荷主体）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の熱負荷が蒸発負荷主体である場合に、この利用ユニット全体の蒸発負荷に対して第１熱源側熱交換器２４だけを冷媒の放熱器として機能させる運転モードである。冷暖同時運転モード（放熱負荷主体）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の熱負荷が放熱負荷主体である場合に、この利用ユニット全体の放熱負荷に対して第１熱源側熱交換器２４だけを冷媒の蒸発器として機能させる運転モードである。冷暖同時運転モード（蒸発・放熱負荷均衡）は、冷房運転（すなわち、利用側熱交換器が冷媒の蒸発器として機能する運転）を行う利用ユニットと暖房運転（すなわち、利用側熱交換器が冷媒の放熱器として機能する運転）を行う利用ユニットとが混在し、利用ユニット全体の蒸発負荷と放熱負荷とが均衡する場合に、第１熱源側熱交換器２４を冷媒の放熱器として機能させ、かつ、第２熱源側熱交換器２５を冷媒の蒸発器として機能させる運転モードである。デフロスト運転モードは、暖房運転モード等のように、暖房運転を行う利用ユニットが存在し、利用ユニット全体の熱負荷に対して第１熱源側熱交換器２４や第２熱源側熱交換器２５を冷媒の蒸発器として機能させる運転によって、第１及び第２熱源側熱交換器２４、２５が着霜した場合に、室外ファン３４を停止させ、かつ、熱源側熱交換器２４、２５の両方を冷媒の放熱器として機能させることで、第１及び第２熱源側熱交換器２４、２５の霜を融かす運転モードである。
【００５３】
尚、これらの運転モードを含む冷暖同時運転型空気調和装置１の動作は、上記の制御部２０、５０ａ、５０ｂ、５０ｃ、５０ｄ、６０ａ、６０ｂ、６０ｃ、６０ｄによって行われる。
【００５４】
＜冷房運転モード＞
冷房運転モードの際、例えば、利用ユニット３ａ、３ｂ、３ｃ、３ｄの全てが冷房運転（すなわち、利用側熱交換器５２ａ、５２ｂ、５２ｃ、５２ｄの全てが冷媒の蒸発器として機能する運転）を行い、熱源側熱交換器２４、２５の両方が冷媒の放熱器として機能する際、空気調和装置１の冷媒回路１０は、図４に示されるように構成される（冷媒の流れについては、図４の冷媒回路１０に付された矢印を参照）。
【００５５】
具体的には、熱源ユニット２においては、第１熱交切換機構２２を放熱運転状態（図４の第１熱交切換機構２２の実線で示された状態）に切り換え、第２熱交切換機構２３を放熱運転状態（図４の第２熱交切換機構２３の実線で示された状態）に切り換えることによって、熱源側熱交換器２４、２５の両方を冷媒の放熱器として機能させるようになっている。また、高低圧切換機構３０を蒸発負荷運転状態（図４の高低圧切換機構３０の実線で示された状態）に切り換えている。また、熱源側流量調節弁２６、２７は、開度調節され、レシーバ入口開閉弁２８ｃは、開状態になっている。接続ユニット４ａ、４ｂ、４ｃ、４ｄにおいては、高圧ガス開閉弁６６ａ、６６ｂ、６６ｃ、６６ｄ、及び、低圧ガス開閉弁６７ａ、６７ｂ、６７ｃ、６７ｄを開状態にすることによって、利用ユニット３ａ、３ｂ、３ｃ、３ｄの利用側熱交換器５２ａ、５２ｂ、５２ｃ、５２ｄの全てを冷媒の蒸発器として機能させるとともに、利用ユニット３ａ、３ｂ、３ｃ、３ｄの利用側熱交換器５２ａ、５２ｂ、５２ｃ、５２ｄの全てと熱源ユニット２の圧縮機２１の吸入側とが高低圧ガス冷媒連絡管８及び低圧ガス冷媒連絡管９を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００５６】
このような冷媒回路１０において、圧縮機２１で圧縮され吐出された高圧のガス冷媒は、熱交切換機構２２、２３を通じて、熱源側熱交換器２４、２５の両方に送られる。そして、熱源側熱交換器２４、２５に送られた高圧のガス冷媒は、熱源側熱交換器２４、２５において、室外ファン３４によって供給される熱源としての室外空気と熱交換を行うことによって放熱する。そして、熱源側熱交換器２４、２５において放熱した冷媒は、熱源側流量調節弁２６、２７において流量調節された後、合流して、入口逆止弁２９ａ及びレシーバ入口開閉弁２８ｃを通じて、レシーバ２８に送られる。そして、レシーバ２８に送られた冷媒は、レシーバ２８内に一時的に溜められた後、出口逆止弁２９ｃ及び液側閉鎖弁３１を通じて、液冷媒連絡管７に送られる。
【００５７】
そして、液冷媒連絡管７に送られた冷媒は、４つに分岐されて、各接続ユニット４ａ、４ｂ、４ｃ、４ｄの液接続管６１ａ、６１ｂ、６１ｃ、６１ｄに送られる。そして、液接続管６１ａ、６１ｂ、６１ｃ、６１ｄに送られた冷媒は、利用ユニット３ａ、３ｂ、３ｃ、３ｄの利用側流量調節弁５１ａ、５１ｂ、５１ｃ、５１ｄに送られる。
【００５８】
そして、利用側流量調節弁５１ａ、５１ｂ、５１ｃ、５１ｄに送られた冷媒は、利用側流量調節弁５１ａ、５１ｂ、５１ｃ、５１ｄにおいて流量調節された後、利用側熱交換器５２ａ、５２ｂ、５２ｃ、５２ｄにおいて、室内ファン５３ａ、５３ｂ、５３ｃ、５３ｄによって供給される室内空気と熱交換を行うことによって蒸発して低圧のガス冷媒となる。一方、室内空気は、冷却されて室内に供給されて、利用ユニット３ａ、３ｂ、３ｃ、３ｄの冷房運転が行われる。そして、低圧のガス冷媒は、接続ユニット４ａ、４ｂ、４ｃ、４ｄの合流ガス接続管６５ａ、６５ｂ、６５ｃ、６５ｄに送られる。
【００５９】
そして、合流ガス接続管６５ａ、６５ｂ、６５ｃ、６５ｄに送られた低圧のガス冷媒は、高圧ガス開閉弁６６ａ、６６ｂ、６６ｃ、６６ｄ及び高圧ガス接続管６３ａ、６３ｂ、６３ｃ、６３ｄを通じて、高低圧ガス冷媒連絡管８に送られて合流するとともに、低圧ガス開閉弁６７ａ、６７ｂ、６７ｃ、６７ｄ及び低圧ガス接続管６４ａ、６４ｂ、６４ｃ、６４ｄを通じて、低圧ガス冷媒連絡管９に送られて合流する。
【００６０】
そして、ガス冷媒連絡管８、９に送られた低圧のガス冷媒は、ガス側閉鎖弁３２、３３及び高低圧切換機構３０を通じて、圧縮機２１の吸入側に戻される。
【００６１】
このようにして、冷房運転モードにおける動作が行われる。
【００６２】
＜暖房運転モード＞
暖房運転モードの際、例えば、利用ユニット３ａ、３ｂ、３ｃ、３ｄの全てが暖房運転（すなわち、利用側熱交換器５２ａ、５２ｂ、５２ｃ、５２ｄの全てが冷媒の放熱器として機能する運転）を行い、熱源側熱交換器２４、２５の両方が冷媒の蒸発器として機能する際、空気調和装置１の冷媒回路１０は、図５に示されるように構成される（冷媒の流れについては、図５の冷媒回路１０に付された矢印を参照）。
【００６３】
具体的には、熱源ユニット２においては、第１熱交切換機構２２を蒸発運転状態（図５の第１熱交切換機構２２の破線で示された状態）に切り換え、第２熱交切換機構２３を蒸発運転状態（図５の第２熱交切換機構２３の破線で示された状態）に切り換えることによって、熱源側熱交換器２４、２５の両方を冷媒の蒸発器として機能させるようになっている。また、高低圧切換機構３０を放熱負荷運転状態（図５の高低圧切換機構３０の破線で示された状態）に切り換えている。また、熱源側流量調節弁２６、２７は、開度調節され、レシーバ入口開閉弁２８ｃは、開状態になっている。接続ユニット４ａ、４ｂ、４ｃ、４ｄにおいては、高圧ガス開閉弁６６ａ、６６ｂ、６６ｃ、６６ｄを開状態にし、低圧ガス開閉弁６７ａ、６７ｂ、６７ｃ、６７ｄを閉状態にすることによって、利用ユニット３ａ、３ｂ、３ｃ、３ｄの利用側熱交換器５２ａ、５２ｂ、５２ｃ、５２ｄの全てを冷媒の放熱器として機能させるとともに、利用ユニット３ａ、３ｂ、３ｃ、３ｄの利用側熱交換器５２ａ、５２ｂ、５２ｃ、５２ｄの全てと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００６４】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。
【００６５】
そして、高低圧ガス冷媒連絡管８に送られた高圧のガス冷媒は、４つに分岐されて、各接続ユニット４ａ、４ｂ、４ｃ、４ｄの高圧ガス接続管６３ａ、６３ｂ、６３ｃ、６３ｄに送られる。高圧ガス接続管６３ａ、６３ｂ、６３ｃ、６３ｄに送られた高圧のガス冷媒は、高圧ガス開閉弁６６ａ、６６ｂ、６６ｃ、６６ｄ及び合流ガス接続管６５ａ、６５ｂ、６５ｃ、６５ｄを通じて、利用ユニット３ａ、３ｂ、３ｃ、３ｄの利用側熱交換器５２ａ、５２ｂ、５２ｃ、５２ｄに送られる。
【００６６】
そして、利用側熱交換器５２ａ、５２ｂ、５２ｃ、５２ｄに送られた高圧のガス冷媒は、利用側熱交換器５２ａ、５２ｂ、５２ｃ、５２ｄにおいて、室内ファン５３ａ、５３ｂ、５３ｃ、５３ｄによって供給される室内空気と熱交換を行うことによって放熱する。一方、室内空気は、加熱されて室内に供給されて、利用ユニット３ａ、３ｂ、３ｃ、３ｄの暖房運転が行われる。利用側熱交換器５２ａ、５２ｂ、５２ｃ、５２ｄにおいて放熱した冷媒は、利用側流量調節弁５１ａ、５１ｂ、５１ｃ、５１ｄにおいて流量調節された後、接続ユニット４ａ、４ｂ、４ｃ、４ｄの液接続管６１ａ、６１ｂ、６１ｃ、６１ｄに送られる。
【００６７】
そして、液接続管６１ａ、６１ｂ、６１ｃ、６１ｄに送られた冷媒は、液冷媒連絡管７に送られて合流する。
【００６８】
そして、液冷媒連絡管７に送られた冷媒は、液側閉鎖弁３１、入口逆止弁２９ｂ及びレシーバ入口開閉弁２８ｃを通じて、レシーバ２８に送られる。レシーバ２８に送られた冷媒は、レシーバ２８内に一時的に溜められた後、出口逆止弁２９ｄを通じて、熱源側流量調節弁２６、２７の両方に送られる。そして、熱源側流量調節弁２６、２７に送られた冷媒は、熱源側流量調節弁２６、２７において流量調節された後、熱源側熱交換器２４、２５において、室外ファン３４によって供給される室外空気と熱交換を行うことによって蒸発して低圧のガス冷媒になり、熱交切換機構２２、２３に送られる。そして、熱交切換機構２２、２３に送られた低圧のガス冷媒は、合流して、圧縮機２１の吸入側に戻される。
【００６９】
このようにして、暖房運転モードにおける動作が行われる。
【００７０】
＜冷暖同時運転モード（蒸発負荷主体）＞
冷暖同時運転モード（蒸発負荷主体）、例えば、利用ユニット３ａ、３ｂ、３ｃが冷房運転し、かつ、利用ユニット３ｄが暖房運転し（すなわち、利用側熱交換器５２ａ、５２ｂ、５２ｃが冷媒の蒸発器として機能し、かつ、利用側熱交換器５２ｄが冷媒の放熱器として機能する運転）を行い、第１熱源側熱交換器２４だけが冷媒の放熱器として機能する際、空気調和装置１の冷媒回路１０は、図６に示されるように構成される（冷媒の流れについては、図６の冷媒回路１０に付された矢印を参照）。
【００７１】
具体的には、熱源ユニット２においては、第１熱交切換機構２２を放熱運転状態（図６の第１熱交切換機構２２の実線で示された状態）に切り換えることによって、第１熱源側熱交換器２４だけを冷媒の放熱器として機能させるようになっている。また、高低圧切換機構３０を放熱負荷運転状態（図６の高低圧切換機構３０の破線で示された状態）に切り換えている。また、第１熱源側流量調節弁２６は、開度調節され、第２熱源側流量調節弁２７は、閉状態になっており、レシーバ入口開閉弁２８ｃは、開状態になっている。接続ユニット４ａ、４ｂ、４ｃ、４ｄにおいては、高圧ガス開閉弁６６ｄ、及び、低圧ガス開閉弁６７ａ、６７ｂ、６７ｃを開状態にし、かつ、高圧ガス開閉弁６６ａ、６６ｂ、６６ｃ、及び、低圧ガス開閉弁６７ｄを閉状態にすることによって、利用ユニット３ａ、３ｂ、３ｃの利用側熱交換器５２ａ、５２ｂ、５２ｃを冷媒の蒸発器として機能させ、かつ、利用ユニット３ｄの利用側熱交換器５２ｄを冷媒の放熱器として機能させるとともに、利用ユニット３ａ、３ｂ、３ｃの利用側熱交換器５２ａ、５２ｂ、５２ｃと熱源ユニット２の圧縮機２１の吸入側とが低圧ガス冷媒連絡管９を介して接続された状態になり、かつ、利用ユニット３ｄの利用側熱交換器５２ｄと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００７２】
このような冷媒回路１０において、圧縮機２１で圧縮され吐出された高圧のガス冷媒は、その一部が、高低圧切換機構３０及び高低圧ガス側閉鎖弁３２を通じて、高低圧ガス冷媒連絡管８に送られ、残りが、第１熱交切換機構２２を通じて、第１熱源側熱交換器２４に送られる。
【００７３】
そして、高低圧ガス冷媒連絡管８に送られた高圧のガス冷媒は、接続ユニット４ｄの高圧ガス接続管６３ｄに送られる。高圧ガス接続管６３ｄに送られた高圧のガス冷媒は、高圧ガス開閉弁６６ｄ及び合流ガス接続管６５ｄを通じて、利用ユニット３ｄの利用側熱交換器５２ｄに送られる。
【００７４】
そして、利用側熱交換器５２ｄに送られた高圧のガス冷媒は、利用側熱交換器５２ｄにおいて、室内ファン５３ｄによって供給される室内空気と熱交換を行うことによって放熱する。一方、室内空気は、加熱されて室内に供給されて、利用ユニット３ｄの暖房運転が行われる。利用側熱交換器５２ｄにおいて放熱した冷媒は、利用側流量調節弁５１ｄにおいて流量調節された後、接続ユニット４ｄの液接続管６１ｄに送られる。
【００７５】
また、第１熱源側熱交換器２４に送られた高圧のガス冷媒は、第１熱源側熱交換器２４において、室外ファン３４によって供給される熱源としての室外空気と熱交換を行うことによって放熱する。そして、第１熱源側熱交換器２４において放熱した冷媒は、第１熱源側流量調節弁２６において流量調節された後、入口逆止弁２９ａ及びレシーバ入口開閉弁２８ｃを通じて、レシーバ２８に送られる。そして、レシーバ２８に送られた冷媒は、レシーバ２８内に一時的に溜められた後、出口逆止弁２９ｃ及び液側閉鎖弁３１を通じて、液冷媒連絡管７に送られる。
【００７６】
そして、利用側熱交換器５２ｄにおいて放熱して液接続管６１ｄに送られた冷媒は、液冷媒連絡管７に送られて、第１熱源側熱交換器２４において放熱して液冷媒連絡管７に送られた冷媒と合流する。
【００７７】
そして、液冷媒連絡管７において合流した冷媒は、３つに分岐されて、各接続ユニット４ａ、４ｂ、４ｃの液接続管６１ａ、６１ｂ、６１ｃに送られる。そして、液接続管６１ａ、６１ｂ、６１ｃに送られた冷媒は、利用ユニット３ａ、３ｂ、３ｃの利用側流量調節弁５１ａ、５１ｂ、５１ｃに送られる。
【００７８】
そして、利用側流量調節弁５１ａ、５１ｂ、５１ｃに送られた冷媒は、利用側流量調節弁５１ａ、５１ｂ、５１ｃにおいて流量調節された後、利用側熱交換器５２ａ、５２ｂ、５２ｃにおいて、室内ファン５３ａ、５３ｂ、５３ｃによって供給される室内空気と熱交換を行うことによって蒸発して低圧のガス冷媒となる。一方、室内空気は、冷却されて室内に供給されて、利用ユニット３ａ、３ｂ、３ｃの冷房運転が行われる。そして、低圧のガス冷媒は、接続ユニット４ａ、４ｂ、４ｃの合流ガス接続管６５ａ、６５ｂ、６５ｃに送られる。
【００７９】
そして、合流ガス接続管６５ａ、６５ｂ、６５ｃに送られた低圧のガス冷媒は、低圧ガス開閉弁６７ａ、６７ｂ、６７ｃ及び低圧ガス接続管６４ａ、６４ｂ、６４ｃを通じて、低圧ガス冷媒連絡管９に送られて合流する。
【００８０】
そして、低圧ガス冷媒連絡管９に送られた低圧のガス冷媒は、ガス側閉鎖弁３３を通じて、圧縮機２１の吸入側に戻される。
【００８１】
このようにして、冷暖同時運転モード（蒸発負荷主体）における動作が行われる。そして、冷暖同時運転モード（蒸発負荷主体）では、上記のように、冷媒の放熱器として機能する利用側熱交換器５２ｄから冷媒の蒸発器として機能する利用側熱交換器５２ａ、５２ｂ、５２ｃに冷媒を送ることで利用側熱交換器５２ａ、５２ｂ、５２ｃ、５２ｄ間において熱回収が行われるようになっている。
【００８２】
＜冷暖同時運転モード（放熱負荷主体）＞
冷暖同時運転モード（放熱負荷主体）、例えば、利用ユニット３ａ、３ｂ、３ｃが暖房運転し、かつ、利用ユニット３ｄが冷房運転し（すなわち、利用側熱交換器５２ａ、５２ｂ、５２ｃが冷媒の放熱器として機能し、かつ、利用側熱交換器５２ｄが冷媒の蒸発器として機能する運転）を行い、第１熱源側熱交換器２４だけが冷媒の蒸発器として機能する際、空気調和装置１の冷媒回路１０は、図７に示されるように構成される（冷媒の流れについては、図７の冷媒回路１０に付された矢印を参照）。
【００８３】
具体的には、熱源ユニット２においては、第１熱交切換機構２２を蒸発運転状態（図７の第１熱交切換機構２２の破線で示された状態）に切り換えることによって、第１熱源側熱交換器２４だけを冷媒の蒸発器として機能させるようになっている。また、高低圧切換機構３０を放熱負荷運転状態（図７の高低圧切換機構３０の破線で示された状態）に切り換えている。また、第１熱源側流量調節弁２６は、開度調節され、第２熱源側流量調節弁２７は、閉状態になっており、レシーバ入口開閉弁２８ｃは、開状態になっている。接続ユニット４ａ、４ｂ、４ｃ、４ｄにおいては、高圧ガス開閉弁６６ａ、６６ｂ、６６ｃ、及び、低圧ガス開閉弁６７ｄを開状態にし、かつ、高圧ガス開閉弁６６ｄ、及び、低圧ガス開閉弁６７ａ、６７ｂ、６７ｃを閉状態にすることによって、利用ユニット３ａ、３ｂ、３ｃの利用側熱交換器５２ａ、５２ｂ、５２ｃを冷媒の放熱器として機能させ、かつ、利用ユニット３ｄの利用側熱交換器５２ｄを冷媒の蒸発器として機能させるとともに、利用ユニット３ｄの利用側熱交換器５２ｄと熱源ユニット２の圧縮機２１の吸入側とが低圧ガス冷媒連絡管９を介して接続された状態になり、かつ、利用ユニット３ａ、３ｂ、３ｃの利用側熱交換器５２ａ、５２ｂ、５２ｃと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００８４】
このような冷媒回路１０において、圧縮機２１で圧縮され吐出された高圧のガス冷媒は、高低圧切換機構３０及び高低圧ガス側閉鎖弁３２を通じて、高低圧ガス冷媒連絡管８に送られる。
【００８５】
そして、高低圧ガス冷媒連絡管８に送られた高圧のガス冷媒は、３つに分岐されて、各接続ユニット４ａ、４ｂ、４ｃの高圧ガス接続管６３ａ、６３ｂ、６３ｃに送られる。高圧ガス接続管６３ａ、６３ｂ、６３ｃに送られた高圧のガス冷媒は、高圧ガス開閉弁６６ａ、６６ｂ、６６ｃ及び合流ガス接続管６５ａ、６５ｂ、６５ｃを通じて、利用ユニット３ａ、３ｂ、３ｃの利用側熱交換器５２ａ、５２ｂ、５２ｃに送られる。
【００８６】
そして、利用側熱交換器５２ａ、５２ｂ、５２ｃに送られた高圧のガス冷媒は、利用側熱交換器５２ａ、５２ｂ、５２ｃにおいて、室内ファン５３ａ、５３ｂ、５３ｃによって供給される室内空気と熱交換を行うことによって放熱する。一方、室内空気は、加熱されて室内に供給されて、利用ユニット３ａ、３ｂ、３ｃの暖房運転が行われる。利用側熱交換器５２ａ、５２ｂ、５２ｃにおいて放熱した冷媒は、利用側流量調節弁５１ａ、５１ｂ、５１ｃにおいて流量調節された後、接続ユニット４ａ、４ｂ、４ｃの液接続管６１ａ、６１ｂ、６１ｃに送られる。
【００８７】
そして、液接続管６１ａ、６１ｂ、６１ｃ、６１ｄに送られた冷媒は、液冷媒連絡管７に送られて合流する。
【００８８】
液冷媒連絡管７において合流した冷媒は、その一部が、接続ユニット４ｄの液接続管６１ｄに送られ、残りが、液側閉鎖弁３１、入口逆止弁２９ｂ及びレシーバ入口開閉弁２８ｃを通じて、レシーバ２８に送られる。
【００８９】
そして、接続ユニット４ｄの液接続管６１ｄに送られた冷媒は、利用ユニット３ｄの利用側流量調節弁５１ｄに送られる。
【００９０】
そして、利用側流量調節弁５１ｄに送られた冷媒は、利用側流量調節弁５１ｄにおいて流量調節された後、利用側熱交換器５２ｄにおいて、室内ファン５３ｄによって供給される室内空気と熱交換を行うことによって蒸発して低圧のガス冷媒となる。一方、室内空気は、冷却されて室内に供給されて、利用ユニット３ｄの冷房運転が行われる。そして、低圧のガス冷媒は、接続ユニット４ｄの合流ガス接続管６５ｄに送られる。
【００９１】
そして、合流ガス接続管６５ｄに送られた低圧のガス冷媒は、低圧ガス開閉弁６７ｄ及び低圧ガス接続管６４ｄを通じて、低圧ガス冷媒連絡管９に送られる。
【００９２】
そして、低圧ガス冷媒連絡管９に送られた低圧のガス冷媒は、ガス側閉鎖弁３３を通じて、圧縮機２１の吸入側に戻される。
【００９３】
また、レシーバ２８に送られた冷媒は、レシーバ２８内に一時的に溜められた後、出口逆止弁２９ｄを通じて、第１熱源側流量調節弁２６に送られる。そして、第１熱源側流量調節弁２６に送られた冷媒は、第１熱源側流量調節弁２６において流量調節された後、第１熱源側熱交換器２４において、室外ファン３４によって供給される室外空気と熱交換を行うことによって蒸発して低圧のガス冷媒になり、第１熱交切換機構２２に送られる。そして、第１熱交切換機構２２に送られた低圧のガス冷媒は、低圧ガス冷媒連絡管９及びガス側閉鎖弁３３を通じて圧縮機２１の吸入側に戻される低圧のガス冷媒と合流して、圧縮機２１の吸入側に戻される。
【００９４】
このようにして、冷暖同時運転モード（放熱負荷主体）における動作が行われる。そして、冷暖同時運転モード（放熱負荷主体）では、上記のように、冷媒の放熱器として機能する利用側熱交換器５２ａ、５２ｂ、５２ｃから冷媒の蒸発器として機能する利用側熱交換器５２ｄに冷媒を送ることで利用側熱交換器５２ａ、５２ｂ、５２ｃ、５２ｄ間において熱回収が行われるようになっている。
【００９５】
＜冷暖同時運転モード（蒸発・放熱負荷均衡）＞
冷暖同時運転モード（蒸発・放熱負荷均衡）、例えば、利用ユニット３ａ、３ｂが冷房運転し、かつ、利用ユニット３ｃ、３ｄが暖房運転し（すなわち、利用側熱交換器５２ａ、５２ｂが冷媒の蒸発器として機能し、かつ、利用側熱交換器５２ｃ、５２ｄが冷媒の放熱器として機能する運転）を行い、第１熱源側熱交換器２４が冷媒の放熱器として機能し、かつ、第２熱源側熱交換器２５が冷媒の蒸発器として機能する際、空気調和装置１の冷媒回路１０は、図８に示されるように構成される（冷媒の流れについては、図８の冷媒回路１０に付された矢印を参照）。
【００９６】
具体的には、熱源ユニット２においては、第１熱交切換機構２２を放熱運転状態（図８の第１熱交切換機構２２の実線で示された状態）に切り換え、かつ、第２熱交切換機構２３を蒸発運転状態（図８の第２熱交切換機構２３の破線で示された状態）に切り換えることによって、第１熱源側熱交換器２４を冷媒の放熱器として機能させ、かつ、第２熱源側熱交換器２５を冷媒の蒸発器として機能させるようになっている。また、高低圧切換機構３０を放熱負荷運転状態（図８の高低圧切換機構３０の破線で示された状態）に切り換えている。また、熱源側流量調節弁２６、２７は、開度調節されている。接続ユニット４ａ、４ｂ、４ｃ、４ｄにおいては、高圧ガス開閉弁６６ｃ、６６ｄ、及び、低圧ガス開閉弁６７ａ、６７ｂを開状態にし、かつ、高圧ガス開閉弁６６ａ、６６ｂ、及び、低圧ガス開閉弁６７ｃ、６７ｄを閉状態にすることによって、利用ユニット３ａ、３ｂの利用側熱交換器５２ａ、５２ｂを冷媒の蒸発器として機能させ、かつ、利用ユニット３ｃ、３ｄの利用側熱交換器５２ｃ、５２ｄを冷媒の放熱器として機能させるとともに、利用ユニット３ａ、３ｂの利用側熱交換器５２ａ、５２ｂと熱源ユニット２の圧縮機２１の吸入側とが低圧ガス冷媒連絡管９を介して接続された状態になり、かつ、利用ユニット３ｃ、３ｄの利用側熱交換器５２ｃ、５２ｄと熱源ユニット２の圧縮機２１の吐出側とが高低圧ガス冷媒連絡管８を介して接続された状態になっている。利用ユニット３ａ、３ｂ、３ｃ、３ｄにおいては、利用側流量調節弁５１ａ、５１ｂ、５１ｃ、５１ｄは、開度調節されている。
【００９７】
このような冷媒回路１０において、圧縮機２１で圧縮され吐出された高圧のガス冷媒は、その一部が、高低圧切換機構３０及び高低圧ガス側閉鎖弁３２を通じて、高低圧ガス冷媒連絡管８に送られ、残りが、第１熱交切換機構２２を通じて、第１熱源側熱交換器２４に送られる。
【００９８】
そして、高低圧ガス冷媒連絡管８に送られた高圧のガス冷媒は、接続ユニット４ｃ、４ｄの高圧ガス接続管６３ｃ、６３ｄに送られる。高圧ガス接続管６３ｃ、６３ｄに送られた高圧のガス冷媒は、高圧ガス開閉弁６６ｃ、６６ｄ及び合流ガス接続管６５ｃ、６５ｄを通じて、利用ユニット３ｃ、３ｄの利用側熱交換器５２ｃ、５２ｄに送られる。
【００９９】
そして、利用側熱交換器５２ｃ、５２ｄに送られた高圧のガス冷媒は、利用側熱交換器５２ｃ、５２ｄにおいて、室内ファン５３ｃ、５３ｄによって供給される室内空気と熱交換を行うことによって放熱する。一方、室内空気は、加熱されて室内に供給されて、利用ユニット３ｃ、３ｄの暖房運転が行われる。利用側熱交換器５２ｃ、５２ｄにおいて放熱した冷媒は、利用側流量調節弁５１ｃ、５１ｄにおいて流量調節された後、接続ユニット４ｃ、４ｄの液接続管６１ｃ、６１ｄに送られる。
【０１００】
そして、利用側熱交換器５２ｃ、５２ｄにおいて放熱して液接続管６１ｃ、６１ｄに送られた冷媒は、液冷媒連絡管７に送られて合流する。
【０１０１】
そして、液冷媒連絡管７において合流した冷媒は、２つに分岐されて、各接続ユニット４ａ、４ｂの液接続管６１ａ、６１ｂに送られる。そして、液接続管６１ａ、６１ｂに送られた冷媒は、利用ユニット３ａ、３ｂの利用側流量調節弁５１ａ、５１ｂに送られる。
【０１０２】
そして、利用側流量調節弁５１ａ、５１ｂに送られた冷媒は、利用側流量調節弁５１ａ、５１ｂにおいて流量調節された後、利用側熱交換器５２ａ、５２ｂにおいて、室内ファン５３ａ、５３ｂによって供給される室内空気と熱交換を行うことによって蒸発して低圧のガス冷媒となる。一方、室内空気は、冷却されて室内に供給されて、利用ユニット３ａ、３ｂの冷房運転が行われる。そして、低圧のガス冷媒は、接続ユニット４ａ、４ｂの合流ガス接続管６５ａ、６５ｂに送られる。
【０１０３】
そして、合流ガス接続管６５ａ、６５ｂに送られた低圧のガス冷媒は、低圧ガス開閉弁６７ａ、６７ｂ及び低圧ガス接続管６４ａ、６４ｂを通じて、低圧ガス冷媒連絡管９に送られて合流する。
【０１０４】
そして、低圧ガス冷媒連絡管９に送られた低圧のガス冷媒は、ガス側閉鎖弁３３を通じて、圧縮機２１の吸入側に戻される。
【０１０５】
また、第１熱源側熱交換器２４に送られた高圧のガス冷媒は、第１熱源側熱交換器２４において、室外ファン３４によって供給される熱源としての室外空気と熱交換を行うことによって放熱する。そして、第１熱源側熱交換器２４において放熱した冷媒は、第１熱源側流量調節弁２６を通過した後、そのほとんどが、第２熱源側流量調節弁２７に送られる。このため、第１熱源側熱交換器２４において放熱した冷媒が、レシーバ２８、ブリッジ回路２９及び液側閉鎖弁３１を通じて、液冷媒連絡管７に送られない状態になっている。そして、第２熱源側流量調節弁２７に送られた冷媒は、第２熱源側流量調節弁２７において流量調節された後、第２熱源側熱交換器２５において、室外ファン３４によって供給される室外空気と熱交換を行うことによって蒸発して低圧のガス冷媒になり、第２熱交切換機構２３に送られる。そして、第２熱交切換機構２３に送られた低圧のガス冷媒は、低圧ガス冷媒連絡管９及びガス側閉鎖弁３３を通じて圧縮機２１の吸入側に戻される低圧のガス冷媒と合流して、圧縮機２１の吸入側に戻される。
【０１０６】
このようにして、冷暖同時運転モード（蒸発・放熱負荷均衡）における動作が行われる。そして、冷暖同時運転モード（蒸発・放熱負荷均衡）では、上記のように、冷媒の放熱器として機能する利用側熱交換器５２ｃ、５２ｄから冷媒の蒸発器として機能する利用側熱交換器５２ａ、５２ｂに冷媒を送ることで利用側熱交換器５２ａ、５２ｂ、５２ｃ、５２ｄ間において熱回収が行われるようになっている。また、冷暖同時運転モード（蒸発・放熱負荷均衡）では、上記のように、第１熱源側熱交換器２４を冷媒の放熱器として機能させ、かつ、第２熱源側熱交換器２５を冷媒の蒸発器として機能させることで、２つの熱源側熱交換器２４、２５の蒸発負荷と放熱負荷とを相殺させる対応が行われるようになっている。
【０１０７】
＜デフロスト運転モード＞
デフロスト運転モードの際、例えば、利用ユニット３ａ、３ｂ、３ｃ、３ｄの全てが冷房運転（すなわち、利用側熱交換器５２ａ、５２ｂ、５２ｃ、５２ｄの全てが冷媒の蒸発器として機能する運転）を行い、熱源側熱交換器２４、２５の両方が冷媒の放熱器として機能する際、空気調和装置１の冷媒回路１０は、冷房運転モードと同様に、図４に示されるように構成される（冷媒の流れについては、図４の冷媒回路１０に付された矢印を参照）。
【０１０８】
具体的には、熱源ユニット２においては、第１熱交切換機構２２を放熱運転状態（図４の第１熱交切換機構２２の実線で示された状態）に切り換え、第２熱交切換機構２３を放熱運転状態（図４の第２熱交切換機構２３の実線で示された状態）に切り換えることによって、熱源側熱交換器２４、２５の両方を冷媒の放熱器として機能させるようになっている。また、高低圧切換機構３０を蒸発負荷運転状態（図４の高低圧切換機構３０の実線で示された状態）に切り換えている。また、熱源側流量調節弁２６、２７は、開度調節され、レシーバ入口開閉弁２８ｃは、開状態になっている。接続ユニット４ａ、４ｂ、４ｃ、４ｄにおいては、高圧ガス開閉弁６６ａ、６６ｂ、６６ｃ、６６ｄ、及び、低圧ガス開閉弁６７ａ、６７ｂ、６７ｃ、６７ｄを開状態にすることによって、利用ユニット３ａ、３ｂ、３ｃ、３ｄの利用側熱交換器５２ａ、５２ｂ、５２ｃ、５２ｄの全てを冷媒の蒸発器として機能させるとともに、利用ユニット３ａ、３ｂ、３ｃ、３ｄの利用側熱交換器５２ａ、５２ｂ、５２ｃ、５２ｄの全てと熱源ユニット２の圧縮機２１の吸入側とが高低圧ガス冷媒連絡管８及び低圧ガス冷媒連絡管９を介して接続された状態になっている。利用ユニット３ａ、３ｂ、３ｃ、３ｄにおいては、利用側流量調節弁５１ａ、５１ｂ、５１ｃ、５１ｄは、開度調節されている。
【０１０９】
但し、デフロスト運転モードにおいては、冷房運転モードとは異なり、室外ファン３４は停止され、室内ファン５３ａ、５３ｂ、５３ｃ、５３ｄも停止されるか又は低風量で運転される。
【０１１０】
このような冷媒回路１０において、圧縮機２１で圧縮され吐出された高圧のガス冷媒は、熱交切換機構２２、２３を通じて、熱源側熱交換器２４、２５の両方に送られる。そして、熱源側熱交換器２４、２５に送られた高圧のガス冷媒は、室外ファン３４が停止されているため、熱源側熱交換器２４、２５において、主として熱源側熱交換器２４、２５の霜を融かすことによって放熱する。そして、熱源側熱交換器２４、２５において放熱した冷媒は、熱源側流量調節弁２６、２７において流量調節された後、合流して、入口逆止弁２９ａ及びレシーバ入口開閉弁２８ｃを通じて、レシーバ２８に送られる。そして、レシーバ２８に送られた冷媒は、レシーバ２８内に一時的に溜められた後、出口逆止弁２９ｃ及び液側閉鎖弁３１を通じて、液冷媒連絡管７に送られる。
【０１１１】
そして、液冷媒連絡管７に送られた冷媒は、４つに分岐されて、各接続ユニット４ａ、４ｂ、４ｃ、４ｄの液接続管６１ａ、６１ｂ、６１ｃ、６１ｄに送られる。そして、液接続管６１ａ、６１ｂ、６１ｃ、６１ｄに送られた冷媒は、利用ユニット３ａ、３ｂ、３ｃ、３ｄの利用側流量調節弁５１ａ、５１ｂ、５１ｃ、５１ｄに送られる。
【０１１２】
そして、利用側流量調節弁５１ａ、５１ｂ、５１ｃ、５１ｄに送られた冷媒は、利用側流量調節弁５１ａ、５１ｂ、５１ｃ、５１ｄにおいて流量調節された後、室内ファン５３ａ、５３ｂ、５３ｃ、５３ｄが停止されるか又は低風量で運転されているため、利用側熱交換器５２ａ、５２ｂ、５２ｃ、５２ｄにおいて、いくらか室内空気と熱交換を行うことによって蒸発して低圧のガス冷媒となる。そして、低圧のガス冷媒は、接続ユニット４ａ、４ｂ、４ｃ、４ｄの合流ガス接続管６５ａ、６５ｂ、６５ｃ、６５ｄに送られる。
【０１１３】
そして、合流ガス接続管６５ａ、６５ｂ、６５ｃ、６５ｄに送られた低圧のガス冷媒は、高圧ガス開閉弁６６ａ、６６ｂ、６６ｃ、６６ｄ及び高圧ガス接続管６３ａ、６３ｂ、６３ｃ、６３ｄを通じて、高低圧ガス冷媒連絡管８に送られて合流するとともに、低圧ガス開閉弁６７ａ、６７ｂ、６７ｃ、６７ｄ及び低圧ガス接続管６４ａ、６４ｂ、６４ｃ、６４ｄを通じて、低圧ガス冷媒連絡管９に送られて合流する。
【０１１４】
そして、ガス冷媒連絡管８、９に送られた低圧のガス冷媒は、ガス側閉鎖弁３２、３３及び高低圧切換機構３０を通じて、圧縮機２１の吸入側に戻される。
【０１１５】
このようにして、デフロスト運転モードにおける動作が行われる。そして、デフロスト運転モードでは、上記のように、室外ファン３４を停止させ、かつ、第１及び第２熱源側熱交換器２４、２５を冷媒の放熱器として機能させることによって、第１及び第２熱源側熱交換器２４、２５を除霜するようになっている。
【０１１６】
（３）熱源側流量調節弁の制御
冷暖同時運転型空気調和装置１では、上記のように、上下に分割された熱源側熱交換器２４、２５を上吹き型の熱源ユニット２内に、側部の吸入口２ａに面するように配置した構成を採用しており、この構成を採用することで得られる風量分布（上側の第１熱源側熱交換器２４に空気が流れやすい風量分布）を考慮して、第１熱源側熱交換器２４のほうに冷媒が流れやすく、下側の第２熱源側熱交換器２５のほうに冷媒が流れにくくなるように、ヘッダ２４ａ、２５ａや分流器２４ｂ、２５ｂのサイズ、熱源側流量調節弁２６、２７の口径（あるいは定格Ｃｖ値）が設計されている。
【０１１７】
このため、デフロスト運転モードを除く運転モード（冷房運転モードや暖房運転モード等）では、熱源ユニット２として上吹き型の熱源ユニットを採用することで得られる風量分布（上側の第１熱源側熱交換器２４に空気が流れやすい風量分布）が考慮されているため、所望の性能が得られやすくなる。例えば、冷房運転モードにおいては、熱源側流量調節弁２６、２７をいずれも全開（＝１００％開度、定格Ｃｖ値）に開度制御することによって、上側の第１熱源側熱交換器２４に空気が流れやすい風量分布に対応して、熱源側熱交換器２４、２５の両方に適切な流量を流すことができ、これにより、所望の放熱性能が得られやすくなる。
【０１１８】
しかし、暖房運転モード等によって第１及び第２熱源側熱交換器２４、２５が着霜した場合に行われるデフロスト運転モードにおいては、第２熱源側熱交換器２５のほうに冷媒が流れにくくなるように設計されていることに起因して、第２熱源側熱交換器２５内に液冷媒が溜まりやすくなり、第２熱源側熱交換器２５において霜を融かす速度が低下してしまうため、デフロスト時間が長くなる傾向にある。
【０１１９】
そこで、ここでは、デフロスト運転モードにおいて、下記のような第１及び第２熱源側流量調節弁２６、２７の開度制御を行うようにしている。
【０１２０】
次に、デフロスト運転モードにおける熱源側流量調節弁２６、２７の開度制御について、図９を用いて説明する。ここで、図９は、デフロスト運転モードのフローチャートである。尚、熱源側流量調節弁２６、２７の開度制御を含むデフロスト運転モードの動作は、制御部２０、５０ａ、５０ｂ、５０ｃ、５０ｄ、６０ａ、６０ｂ、６０ｃ、６０ｄによって行われる。
【０１２１】
まず、ステップＳＴ１において、暖房運転モード等の第１熱源側熱交換器２４や第２熱源側熱交換器２５を冷媒の蒸発器として機能させる運転によって、第１及び第２熱源側熱交換器２４、２５が着霜したかどうかを判定する。ここでは、ガス側温度センサ７６、７７や液側温度センサ７８、７９によって検出される冷媒の温度に基づいて、第１及び第２熱源側熱交換器２４、２５が着霜したかどうかを判定する。具体的には、ガス側温度センサ７６、７７や液側温度センサ７８、７９が所定温度以下まで低下しているかどうかによって判定する。そして、ステップＳＴ１において、第１及び第２熱源側熱交換器２４、２５が着霜していると判定された場合には、ステップＳＴ２の処理に移行する。
【０１２２】
次に、ステップＳＴ２において、熱交切換機構２２、２３の両方又はいずかを蒸発運転状態から放熱運転状態に切り換えることによって、熱源側熱交換器２４、２５の両方を冷媒の放熱器として機能させ、高圧ガス開閉弁６６ａ、６６ｂ、６６ｃ、６６ｄ、及び、低圧ガス開閉弁６７ａ、６７ｂ、６７ｃ、６７ｄの全て又は一部を開状態にすることによって、利用ユニット３ａ、３ｂ、３ｃ、３ｄの利用側熱交換器５２ａ、５２ｂ、５２ｃ、５２ｄの全て又は一部を冷媒の蒸発器として機能させることで、冷房運転モードと同様の冷媒の流れが得られるようにする。但し、冷房運転モードとは異なり、室外ファン３４を停止させ、室内ファン５３ａ、５３ｂ、５３ｃ、５３ｄも停止させるか又は低風量運転にする。そして、熱源側流量調節弁２６、２７については、冷房運転モードと同様であれば、いずれも全開（＝１００％開度、定格Ｃｖ値）に開度制御するところ、ここでは、冷房運転モードとは異なり、冷房運転モード時に比べて第２熱源側熱交換器２５に冷媒が多く流れる流量比であるデフロスト流量比になるように、第１及び第２熱源側流量調節弁２６、２７の開度を制御するようにしている。例えば、冷房運転モードにおける第１熱源側熱交換器２４を流れる冷媒の流量と第２熱源側熱交換器２５を流れる冷媒の流量との流量比が３：７である場合（このとき、熱源側流量調節弁２６、２７はいずれも全開）には、デフロスト運転モードにおける第１熱源側熱交換器２４を流れる冷媒の流量と第２熱源側熱交換器２５を流れる冷媒の流量との流量比（デフロスト流量比）が２：８等の３未満：７以上の流量比になるように、第１及び第２熱源側流量調節弁２６、２７の開度を制御するようにしている。具体的には、第２熱源側流量調節弁２７を全開（＝１００％開度、定格Ｃｖ値）に設定し、かつ、第１熱源側流量調節弁２６を冷房運転モード時の開度（ここでは、全開）よりも小さい開度（例えば、７０〜８０％開度）に設定することによって、上記のデフロスト流量比を得るようにしている。また、ここでは、第１及び第２熱源側流量調節弁２６、２７の開度を、上記のように、デフロスト運転を開始する際にデフロスト流量比が得られる開度に設定し、下記のステップＳＴ３、ＳＴ４において、デフロスト運転が終了するまで、デフロスト運転を開始する際に設定した開度で維持するようにしている。尚、冷房運転モードにおける流量比は、上記の３：７に限定されるものではなく、熱源側熱交換器２４、２５の伝熱面積の関係や風量分布によって種々の流量比に設定されるものである。このため、デフロスト流量比についても、冷房運転モードにおける流量比に応じて、冷房運転モード時に比べて第２熱源側熱交換器２５に冷媒が多く流れる流量比になる範囲で種々の流量比に設定されるものである。このようにして、デフロスト運転が開始される。
【０１２３】
次に、ステップＳＴ３において、第１及び第２熱源側熱交換器２４、２５の霜が融けたかどうかを判定する。ここでは、ガス側温度センサ７６、７７や液側温度センサ７８、７９によって検出される冷媒の温度に基づいて、第１及び第２熱源側熱交換器２４、２５の霜が融けたかどうかを判定する。具体的には、ガス側温度センサ７６、７７や液側温度センサ７８、７９が所定温度以上まで上昇しているかどうかによって判定する。そして、ステップＳＴ３において、第１及び第２熱源側熱交換器２４、２５の霜が融けたと判定された場合には、ステップＳＴ４の処理に移行して、デフロスト運転モードを終了し、暖房運転モード等の他の運転モードに復帰する。
【０１２４】
このようにして、熱源側流量調節弁２６、２７の開度制御を含むデフロスト運転モードの動作が行われる。
【０１２５】
そして、上記のデフロスト運転モードにおける熱源側流量調節弁２６、２７の開度制御によれば、デフロスト運転モードにおいて、第２熱源側熱交換器２５を通過する冷媒の流量を冷房運転モード時よりも多くすることができる。このため、ここでは、第２熱源側熱交換器２５内に液冷媒が溜まりにくくなり、第２熱源側熱交換器２５において、霜を融かす速度を増加させることができる。
【０１２６】
これにより、ここでは、デフロスト運転モード時に、同時に上下の熱源側熱交換器２４、２５の霜を融かすようにして、デフロスト時間を短縮することができる。また、第２熱源側熱交換器２５内に液冷媒が溜まりにくくなるため、デフロスト運転モードから暖房運転モード等の第２熱源側熱交換器２５を冷媒の蒸発器として機能させる運転モードに復帰した際に、第２熱源側熱交換器２５から圧縮機２１に冷媒が液バックすることを抑えることができる。
【０１２７】
また、ここでは、デフロスト運転モードにおいて、第２熱源側流量調節弁２７を全開に設定することによって、第２熱源側熱交換器２５に冷媒ができるだけ流れやすい状態を作り出すとともに、第１熱源側流量調節弁２６を冷房運転モード時の開度よりも小さい開度に設定することによって、第２熱源側熱交換器２５を流れる冷媒の流量を確実に増加させることができる。
【０１２８】
これにより、ここでは、デフロスト運転において、デフロスト流量比を確実に得ることができる。
【０１２９】
ここで、デフロスト運転の途中で、第１及び第２熱源側流量調節弁２６、２７の開度を変更した場合には、開度が相対的に小さくなった熱源側流量調節弁に対応する熱源側熱交換器に冷媒が溜まりやすくなることがあり、このような冷媒の溜まり込みが発生すると、デフロスト運転を終了して暖房運転等の熱源側熱交換器を冷媒の蒸発器として機能させる運転モードに復帰した際に、冷媒が溜まり込んだ熱源側熱交換器から圧縮機２１に冷媒が液バックしやすくなるおそれがある。
【０１３０】
しかし、ここでは、上記のように、デフロスト運転の開始から終了まで、第１及び第２熱源側流量調節弁２６、２７の開度を変更することなく、デフロスト運転を行うようにしている。
【０１３１】
これにより、ここでは、デフロスト運転時の制御を簡単化するとともに、デフロスト運転が終了した後の液バックも抑制することができる。
【０１３２】
（４）変形例
上記の実施形態では、本発明が適用される冷凍装置として、冷暖同時運転型空気調和装置１の構成例に挙げて説明しているが、これに限定されるものではない。例えば、冷暖切換運転型空気調和装置等の他の冷凍装置であっても、上吹き型の熱源ユニット内に上下に分割された熱源側熱交換器を配置した構成であれば、本発明を適用することが可能である。
【０１３３】
また、上記の実施形態では、熱源側熱交換器として上下に２つに分割した熱源側熱交換器２４、２５を採用しているが、これに限定されるものではない。例えば、上下に３以上に分割した熱源側熱交換器を採用してもよい。この場合には、デフロスト運転において、複数（３つ以上）のうちの少なくとも２つの熱源側熱交換器の間で、上記のデフロスト流量比になるように各熱源側熱交換器に対応する熱源側流量調節弁の開度を制御することで、上記の実施形態と同様の作用効果を得ることができる。
【産業上の利用可能性】
【０１３４】
本発明は、上吹き型の熱源ユニット内に上下に分割された熱源側熱交換器を配置した冷凍装置に対して、広く適用可能である。
【符号の説明】
【０１３５】
１                              冷暖同時運転型空気調和装置（冷凍装置）
２１                            圧縮機
２４                            第１熱源側熱交換器
２５                            第２熱源側熱交換器
２６                            第１熱源側流量調節弁
２７                            第２熱源側流量調節弁
５２ａ、５２ｂ、５２ｃ、５２ｄ  利用側熱交換器
【先行技術文献】
【特許文献】
【０１３６】
【特許文献１】特開平５−３３２６３７号公報
【特許文献２】特開２００２−８９９８０号公報
【図１】
0005949831.tif 000002
【図２】
0005949831.tif 000003
【図３】
0005949831.tif 000004
【図４】
0005949831.tif 000005
【図５】
0005949831.tif 000006
【図６】
0005949831.tif 000007
【図７】
0005949831.tif 000008
【図８】
0005949831.tif 000009
【図９】
0005949831.tif 000010